(57)【特許請求の範囲】
【請求項１】
筐体に、音発生手段と、空気を取り入れる吸込口と、高圧空気を発生するための羽根車と前記羽根車を駆動するためのモータで構成された高圧空気発生手段と、前記高圧空気を吹出すための環形状の吹出口と、前記高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を吹出す誘引空気吹出口と、前記誘引空気吸込口と前記誘引空気混合部と前記誘引空気吹出口を連通する第二風路を備えた送風装置であって、
前記音発生手段は、前記第二風路の外に設けられた前記モータの周囲において、前記第二風路を構成する壁面から音を放射させるように設置され、
前記音発生手段で発生した音が、少なくとも前記第二風路を構成する壁面から放射し、前記誘引空気混合部内で音が反響して前記筐体の外に放射されることを特徴とする送風装置。
【請求項２】
複数の前記誘引空気吸込口が前記吹出口の軸中心から略放射状に備えられたことを特徴とする請求項１に記載の送風装置。
【請求項３】
前記吸込口と前記吹出口が対向する位置に略同軸上に備えられたことを特徴とする請求項１または２に記載の送風装置。
【請求項４】
前記筐体が外壁と内壁の二重壁を備え、
前記第二風路は前記第一風路を貫通壁で貫通するように備えられ、
前記第一風路は前記外壁と前記内壁と前記貫通壁で構成され、前記第二風路は前記内壁と前記貫通壁で構成され、前記誘引空気吹出口は前記内壁で構成されていることを特徴とする請求項１乃至３いずれか一つに記載の送風装置。
【発明の詳細な説明】
【技術分野】
【０００１】
本発明は、居室内の天井や壁、床面に設置され、直接気流による体感温度の減少や室内の空気の循環に使用される扇風機や天井扇などの送風装置に関するものである。
【背景技術】
【０００２】
従来、この種の送風装置は、羽根車とモータを台座となる基部に内包して、基部上部に備えられた円環形状の送風部から床面と水平方向に吹出すようにて空気の循環及び空気の流れを生じさせる家庭用送風装置が知られている（例えば、特許文献１参照）。
【０００３】
以下、その送風装置について図４および図５を参照しながら説明する。
【０００４】
図４は、送風機組立体１００をその正面から見た投影図を、図５は、送風機組立体１００の断面投影図を示している。送風機組立体１００は、中央開口部１０２を画定している環状ノズル１０１を有している。環状ノズル１０１を通る空気流を生じさせるモータ１２２がモータハウジング１２６と共に基部１１６の内部に配置されている。さらに、インペラ（羽根車）１３０が、モータ１２２から外方に延びる回転シャフトに連結され、ディフューザ１３２が、インペラ１３０の下流側に位置決めされているモータ１２２は、電気接続部及び電源に接続され、複数個の選択ボタン１２０により、ユーザは、送風機組立体１００を操作することができる。
【０００５】
上記構成で、上述した送風機組立体１００は、以下のように動作する。
【０００６】
ユーザが複数個の選択ボタン１２０の中から適当に選択してモータ１２２が駆動される。かくして、モータ１２２が起動され、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。
【０００７】
空気流は、これが口１１２に入る際に絞られ、そして口１１２の出口１４４のところで更に絞られる。この絞りにより、システム中に圧力が生じる。
【０００８】
このように作られた空気流は、絞りにより生じる圧力に打ち勝ち、空気流は、一次空気流として出口１４４を通って出る。一次空気流は、ガイド部分１４８の配置により、ユーザに向かって集中し又は集束して向けられる。二次空気流は、外部環境、特に出口１４４周りの領域及び環状ノズル１０１の外縁部周りからの空気の同伴によって生じる。この二次空気流は、中央開口部１０２を通り、ここで、一次空気流と混ざり合って送風機組立体１００から前方に放出される全空気流が生じる。
【先行技術文献】
【特許文献】
【０００９】
【特許文献１】特開２０１０−０７７９６９号公報
【発明の概要】
【発明が解決しようとする課題】
【００１０】
このような従来の送風装置では、羽根車が内包されており羽根車を目視できないため、離れた場所から送風装置の運転／停止が確認できないという課題があった。
【００１１】
そこで本発明は、上記従来の課題を解決するものであり、羽根車を内包することで接触による不安感をなくしつつ、離れた場所からでも送風装置の運転／停止を容易に判別可能な送風装置を提供することを目的とする。
【課題を解決するための手段】
【００１２】
そして、この目的を達成するために、本発明は、筐体に、音発生手段と、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を吹出す誘引空気吹出口と、前記誘引空気吸込口と前記誘引空気混合部と前記誘引空気吹出口を連通する第二風路を備えた送風装置であって、前記音発生手段で発生した音が、少なくとも前記第二風路を構成する壁面から放射し、前記誘引空気混合部内で音が反響することを特徴とする送風装置としたものであり、これにより所期の目的を達成するものである。
【発明の効果】
【００１３】
本発明によれば、筐体に、音発生手段と、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を吹出す誘引空気吹出口と、前記誘引空気吸込口と前記誘引空気混合部と前記誘引空気吹出口を連通する第二風路を備えた送風装置であって、前記音発生手段で発生した音が、少なくとも前記第二風路を構成する壁面から放射し、前記誘引空気混合部内で音が反響することを特徴とする送風装置としたことにより、羽根車を内包することで接触による不安感をなくしつつ、離れた場所からでも送風装置の運転／停止を音により容易に判別することができる。
【００１４】
さらに、音発生手段で発生した音が、少なくとも前記第二風路を構成する壁面から放射し、前記誘引空気混合部内で音が反響するため、反響により増幅した音が誘引空気吸込口と誘引空気吹出口から放射され、送風装置の送風方向側に音を効率よく伝えることができるものである。
【図面の簡単な説明】
【００１５】
【図１】本発明の実施の形態１の送風装置の斜視図
【図２】本発明の実施の形態１の送風装置の断面を示す構成図
【図３】（ａ）本発明の実施の形態２の送風装置の斜視図、（ｂ）同送風装置の断面を示す構成図
【図４】従来技術の一例を示す正面図
【図５】従来技術の一例を示す断面を示す構成図
【発明を実施するための形態】
【００１６】
本発明の請求項１記載の送風装置は、筐体に、音発生手段と、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を吹出す誘引空気吹出口と、前記誘引空気吸込口と前記誘引空気混合部と前記誘引空気吹出口を連通する第二風路を備えた送風装置であって、前記音発生手段で発生した音が、少なくとも前記第二風路を構成する壁面から放射し、前記誘引空気混合部内で音が反響することを特徴とするものである。
【００１７】
これにより、羽根車を内包することで接触による不安感をなくしつつ、離れた場所からでも送風装置の運転／停止を音により容易に判別することができる。また、音発生手段で発生した音が、少なくとも前記第二風路を構成する壁面から放射し、前記誘引空気混合部内で音が反響するため、反響により増幅した音が誘引空気吸込口と誘引空気吹出口から放射され、送風装置の送風方向側に音を効率よく伝えることができる。また、誘引空気吸込口が複数あるため、一つの誘引空気吸込口が塞がれるような使用状態でも、他の誘引空気吸込口から空気を誘引できるため性能を発揮することができる。
【００１８】
また、複数の誘引空気吸込口が吹出口の軸中心から略放射状に備えられたことを特徴とするもので、前記誘引空気混合部内で音は反響により増幅し、誘引空気吹出口と、略放射状に備えられた複数の誘引空気吸込口から略均等に放射されるため、広範囲に音を効率よく伝えることができる。
【００１９】
また、吸込口と吹出口が対向する位置に略同軸上に備えられたことを特徴とするもので、吸込口と吹出口の距離が離れるため、吸込口から放射される羽根車の音と、音発生手段から発生させた音が干渉することを低減することができ、効率よく音発生手段から発生させた音を送風装置の送風方向側に伝えることができる。
【００２０】
また、筐体が外壁と内壁の二重壁を備え、第二風路は第一風路を貫通壁で貫通するように備えられ、前記第一風路は前記外壁と前記内壁と前記貫通壁で構成され、前記第二風路は前記内壁と前記貫通壁で構成され、前記誘引空気吹出口は前記内壁で構成されていることを特徴とするもので、前記音発生手段で発生した音は、前記内壁または前記貫通壁の壁面から放射し、前記第二風路で音が反響する。音は前記第二風路で反響により増幅し、誘引空気吹出口と複数の誘引空気吸込口から放射されるため、広範囲に音を効率よく伝えることができる。
【００２１】
以下、本発明の実施の形態について図面を参照しながら説明する。
【００２２】
（実施の形態１）
図１に斜視図を、図２に断面Ｘでの断面を示す構成図を示すように、送風装置１１は、球形状の筐体１２に、空気を取り入れる吸込口１５と、高圧空気を発生するための羽根車１６と羽根車１６を駆動するためのモータ１７で構成された高圧空気発生手段１８と、高圧空気を吹出すための環形状の吹出口１９を備えるものである。電源（図示しない）を入れることにより音発生手段としてのブザー２７が音を発して運転開始を知らせると共にモータ１７が駆動し、羽根車１６が回転することで羽根車１６は吸込口１５から空気を取り入れ高圧空気が発生する。発生した高圧空気は羽根車１６から吹出口１９に連通する第一風路２０を通過し、吹出口１９から吹出す。このとき、吹出口１９から吹出す空気に誘引されて、複数（本実施形態では６個）の誘引空気吸込口２１から送風装置１１外部の空気を吸込み、複数の誘引空気吸込口２１に吸込まれた空気は誘引空気混合部２２で混合され、誘引空気吹出口２３から吹出す。この誘引空気吸込口２１から誘引空気混合部２２を通過し、誘引空気吹出口２３に至る風路が第二風路２４である。なお、ブザー２７はモータ１７の周りに備えた基板２６の第二風路２４を構成する壁面側に備えられている。また、電源を切り、運転を停止する際には、ブザー２７が音を発して運転停止を知らせると共にモータ１７への電源供給が停止し、駆動を停止し、運転が停止するものである。ここで、高圧空気とは大気圧以上の空気を示し、基板２６はモータ１７やブザー２７を駆動するためのものである。なお、このモータ１７の動力源は、本体外部から引き込まれた導線（図示しない）より供給される電気、又は内蔵する電池から得られる電気等が該当する。
【００２３】
また、第二風路２４は第一風路２０を貫通壁２５で貫通するように備えられ、第一風路２０は外壁１３と内壁１４と貫通壁２５で構成され、第二風路２４は内壁１４と貫通壁２５で構成され、誘引空気吹出口２３は吹出口１９の内環を構成する内壁１４に囲まれて構成されるものである。
【００２４】
ここで、複数の誘引空気吸込口２１は吹出口１９の軸中心から放射状に備えられており、吸込口１５と吹出口１９が対向する位置に筐体１２の球形状の中心を通る同軸上に備えられた構成となっている。また、本実施形態では筐体１２を球形状で表したが、筐体１２の形状としては特にこれに限定されるものではなく、多面体形状（正多面体や切頂多面体）、円柱形状、多角柱形状、有機的なフォルム形状など自由に選択することができる。
【００２５】
また、吹出口１９の環形状とは円に限定されるものではなく、環になっていれば多角形や曲線で構成された形状であってもよい。また環形状は性能に影響が出ない範囲であればリブなどにより部分的に途切れることがあっても問題はない。
【００２６】
このような構成によれば、羽根車１６が送風装置１１の外部から接触できないよう筐体１２内に内包されているため羽根車１６に接触して怪我をするという不安を抱くことなく安心して使用できる。また、羽根車１６の状態が外部から目視できない構成であっても、離れた場所からでも送風装置１１の運転／停止をブザー２７から発生する音により容易に判別することができるため、電源の切り忘れなど防止することができる。このとき、ブザー２７で発生した音は、筐体１２内を伝播し、少なくとも第二風路２４を構成する壁面から放射される。壁面から放射された音は、第二風路２４を構成する壁面で一部が反射され、誘引空気混合部２２内で音が反響するため、反響により増幅した音が誘引空気吸込口と誘引空気吹出口から放射され、送風装置１１の送風方向側に音を効率よく伝えることができる。
【００２７】
また、ブザー２７はモータ１７の周りに備えた基板２６の第二風路２４を構成する壁面に近い位置に備えられており、ブザー２７から発生した音を効率よく第二風路２４を構成する壁面から放射することができる。
【００２８】
また、「誘引空気吸込口２１が複数あるため」、一つの誘引空気吸込口２１が塞がれるような使用状態でも、他の誘引空気吸込口２１から空気を誘引できるため送風性能を発揮することができる。また、空いた状態の他の誘引空気吸込口２１から音を放射できるため、一つの誘引空気吸込口２１が塞がれるような使用状態でも、運転状態を確実に使用者に伝えることができる。
【００２９】
また、吸込口１５と吹出口１９が対向する位置に同軸上に備えられたことで、吸込口１５と吹出口１９の距離が離れるため、吸込口１５から放射される羽根車の音と、第二風路２４を構成する壁面から放射する音が干渉することを低減することができ、効率よくブザー２７から発生させた音を送風装置１１の送風方向側に伝えることができる。
【００３０】
なお、本実施形態では複数の誘引空気吸込口２１の場合を示したが、誘引空気吸込口２１がひとつであっても上記の「誘引空気吸込口２１が複数あるため」の効果以外は、同様の効果が得られるものである。また、本実施の形態では音発生手段としてブザー２７を示したが、音発生手段としては特にこれに制限されるものではなく、既知のスピーカーなど使用することができる。
【００３１】
（実施の形態２）
図３（ａ）に斜視図を、図３（ｂ）に天井面に垂直な断面Ｙでの断面図を示すように、送風装置３１は、天井面３２に可動アーム３３を介して設置されている。ここで送風装置３１は、可動アーム３３により方向が自由に変えられるものである。
【００３２】
送風装置３１は、円筒形状の筐体３４が外壁３５と内壁３６の二重壁を備え、空気を取り入れる吸込口３７と、高圧空気を発生するための高圧空気発生手段４０と、高圧空気を吹出すための環形状の吹出口４１を備えるものである。ここで、高圧空気発生手段４０は羽根車３８と羽根車３８を駆動するためのモータ３９で構成される。電源（図示しない）を入れることにより音発生手段としてのスピーカー４７が音を発して運転開始を知らせると共にモータ３９が駆動し、羽根車３８が回転することで羽根車３８は吸込口３７から空気を取り入れ高圧空気が発生する。発生した高圧空気は羽根車３８から吹出口４１に連通する第一風路４２を通過し、吹出口４１から吹出す。このとき、吹出口４１から吹出す空気に誘引されて、複数（本実施形態では５個）の誘引空気吸込口４３から送風装置３１外部の空気を吸込み、複数の誘引空気吸込口４３に吸込まれた空気は誘引空気混合部４４で混合され、誘引空気吹出口４５から送風方向４８に吹出す。この誘引空気吸込口４３から誘引空気混合部４４を通過し、誘引空気吹出口４５に至る風路が第二風路４６である。スピーカー４７は第二風路４６内の誘引空気混合部４４に円筒形状の筐体３４の軸中心に備えている。ここで、スピーカー４７から発する音は、音楽など自由に選択することができ、送風装置３１の運転中音を発し続けることや、運転中に任意の時間だけ音を発することなど自由に選択することができる。
【００３３】
また、電源を切り、運転を停止する際には、スピーカー４７が音を発して運転停止を知らせると共にモータ３９への電源供給が停止し、駆動を停止し、運転が停止するものである。なお、このモータ３９の動力源は、本体外部から引き込まれた導線（図示しない）より供給される電気、又は内蔵する電池から得られる電気等が該当する。ここで、高圧空気とは大気圧以上の空気を示すものとする。
【００３４】
このような構成によれば、羽根車３８を内包することで接触による不安感なく使用することができる。また、羽根車３８の状態が外部から目視できない構成であっても、離れた場所からでも送風装置３１の運転／停止を音により容易に判別することができるため、電源の切り忘れなど防止することができる。また、スピーカー４７で発生した音が、第二風路４６を構成する壁面で反射し、誘引空気混合部４４内で音が反響するため、反響により増幅した音が誘引空気吸込口と誘引空気吹出口から放射され、送風装置３１の送風方向４８側に音を効率よく伝えることができる。このとき、スピーカー４７は円筒形状の筐体３４の軸中心に備えられているため、壁面とスピーカー４７の距離も均一となり、効率よく反響させることができる。
【００３５】
また、スピーカー４７から音楽や自然の音など使用者の好みの音を発生させることで、羽根車３８を駆動する際に発生する送風音をマスキングすることができるため、不快な送風音を感じることなく気流を直接浴びたり、空気を循環したりすることができ、快適に送風装置３１を使用することができる。
【００３６】
また、羽根車３８を駆動せず、スピーカー４７だけを使用することも可能である。スピーカー４７だけを使用した場合においても、スピーカー４７で発生した音は第二風路４６を構成する壁面で反射し、誘引空気混合部４４内で音が反響する。このとき、音の中で高周波より低周波の音の方が反響しやすいため、低周波の音が相対的に大きく反響して増幅されるため、スピーカー４７で発生した音よりも低周波の音の要素が大きくなった、深みのある音を送風装置３１から発生させることができるものである。
【産業上の利用可能性】
【００３７】
本発明にかかる送風装置は、羽根車を内包することで接触による不安感をなくしつつ、離れた場所からでも運転／停止を音により容易に判別可能な送風装置を提供できるため、居室内の床、机上、天井や壁に設置され、直接気流による体感温度の減少や室内の空気の循環に使用される各種送風機器等や音響機器として有用である。
【符号の説明】
【００３８】
１１  送風装置
１２  筐体
１３  外壁
１４  内壁
１５  吸込口
１６  羽根車
１７  モータ
１８  高圧空気発生手段
１９  吹出口
２０  第一風路
２１  誘引空気吸込口
２２  誘引空気混合部
２３  誘引空気吹出口
２４  第二風路
２５  貫通壁
２６  基板
２７  ブザー
３１  送風装置
３２  天井面
３３  可動アーム
３４  筐体
３５  外壁
３６  内壁
３７  吸込口
３８  羽根車
３９  モータ
４０  高圧空気発生手段
４１  吹出口
４２  第一風路
４３  誘引空気吸込口
４４  誘引空気混合部
４５  誘引空気吹出口
４６  第二風路
４７  スピーカー
４８  送風方向
１００  送風機組立体
１０１  環状ノズル
１０２  中央開口部
１１０  内部通路
１１２  口
１１６  基部
１１８  外側ケーシング
１２０  選択ボタン
１２２  モータ
１２４  空気入口
１２６  モータハウジング
１３０  インペラ
１３２  ディフューザ
１３４  入口
１３６  出口
１４４  出口
１４８  ガイド部分
【図１】
0006613447.tif 000002
【図２】
0006613447.tif 000003
【図３】
0006613447.tif 000004
【図４】
0006613447.tif 000005
【図５】
0006613447.tif 000006